(57)【要約】【課題】記録媒体に皺や折れがあると、磁気ヘッドとの密着性が損なわれるため、読み取り率が低下する可能性がある。【解決手段】搬送経路１５に沿って搬送される記録媒体Ｐの磁気情報を読み取る磁気情報読み取り装置１０であって、前記搬送経路１５に沿って記録媒体搬送方向の上流側に設けられる第１ローラー対１２および下流側に設けられる第２ローラー対１４を有する記録媒体搬送手段２０と、前記搬送経路１５上の前記第１ローラー対１２および前記第２ローラー対１４の間に配置されるとともに、前記磁気情報を読み取る磁気ヘッド１６および前記磁気ヘッド１６と対向配置される回転可能な押圧ローラー１９を有する磁気情報読み取り手段３０とを備え、前記第２ローラー対１４を記録媒体Ｐの主送り機構とし、前記第１ローラー対１２の記録媒体搬送量は、前記第２ローラー対１４の記録媒体搬送量より小さく設定されている。【選択図】図１
2013196430.tif 000002
【特許請求の範囲】
【請求項１】
搬送経路に沿って搬送される記録媒体の磁気情報を読み取る磁気情報読み取り装置であって、
前記搬送経路に沿って記録媒体搬送方向の上流側に設けられる第１ローラー対および下流側に設けられる第２ローラー対を有する記録媒体搬送手段と、
前記搬送経路上の前記第１ローラー対および前記第２ローラー対の間に配置されるとともに、前記磁気情報を読み取る磁気ヘッドおよび前記磁気ヘッドと対向配置される回転可能な押圧ローラーを有する磁気情報読み取り手段と、を備え、
前記第２ローラー対を前記記録媒体の主送り機構とし、前記第１ローラー対の記録媒体搬送量は、前記第２ローラー対の記録媒体搬送量より小さく設定されていることを特徴とする磁気情報読み取り装置。
【請求項２】
前記磁気ヘッドと対向配置される前記押圧ローラーは、所定の記録媒体搬送量を確保するように駆動され、
前記押圧ローラーの記録媒体搬送量が、前記第１ローラー対の記録媒体搬送量より大きく、且つ前記第２ローラー対の記録媒体搬送量より小さいことを特徴とする請求項１に記載の磁気情報読み取り装置。
【請求項３】
前記磁気ヘッドが、付勢手段により前記押圧ローラー方向に加圧されていることを特徴とする請求項１または２に記載の磁気情報読み取り装置。
【発明の詳細な説明】
【技術分野】
【０００１】
本発明は、磁気情報読み取り装置に関する。
【背景技術】
【０００２】
従来から商取引や店舗での買い物、レストランでの支払い等においては、小切手等を用いて決済が行われることがある。一般に、小切手は、所定場所に口座番号、金額等が、磁気インクによるＭＩＣＲ（Ｍａｇｎｅｔｉｃ  Ｉｎｋ  Ｃｈａｒａｃｔｅｒ  Ｒｅｃｏｇｎｉｔｉｏｎ）文字やＭＩＣＲ記号により印刷されている。以降、ＭＩＣＲ文字やＭＩＣＲ記号をまとめて磁気情報と称する。この小切手による精算処理では、この磁気情報を読み取り、読み取ったデータを所定の機関に照会することにより小切手の有用性を確認する。従って、小切手の精算処理においては磁気情報の読み取りは重要である。
【０００３】
磁気情報の読み取りについては、磁気情報読み取り装置を用いる。磁気情報読み取り装置は、磁気文字読み取り装置（ＭＩＣＲリーダー：Ｍａｎｅｔｉｃ  Ｉｎｋ  Ｃｈａｒａｃｔｅｒ  Ｒｅｃｏｇｎｉｔｉｏｎ  ｒｅａｄｅｒ）とも称せられる。磁気情報の印刷された小切手等の記録媒体を、磁気情報読み取り装置の内部に搬入し、磁石により磁気情報としてのＭＩＣＲ文字に着磁を行い、ＭＩＣＲ文字の印刷部分を内部の磁気ヘッドに密着させることで、信号を読み取りＭＩＣＲ文字を認識する（例えば、特許文献１参照）。
【先行技術文献】
【特許文献】
【０００４】
【特許文献１】特開平１１−２３２３８４号公報
【発明の概要】
【発明が解決しようとする課題】
【０００５】
ところが、市場で流通している小切手等の記録媒体は、保管状態や持ち運び状態が多種多様におよび、その段階で皺や折れが発生する可能性がある。記録媒体に皺や折れが発生すると、磁気情報の読み取りに際して磁気ヘッドと記録媒体との密着性が損なわれるため、磁気情報の読み取り率が低下する可能性がある。
【課題を解決するための手段】
【０００６】
本発明は、上述の課題の少なくとも一部を解決するためになされたものであり、以下の形態または適用例として実現することが可能である。
【０００７】
（適用例１）搬送経路に沿って搬送される記録媒体の磁気情報を読み取る磁気情報読み取り装置であって、前記搬送経路に沿って記録媒体搬送方向の上流側に設けられる第１ローラー対および下流側に設けられる第２ローラー対を有する記録媒体搬送手段と、前記搬送経路上の前記第１ローラー対および前記第２ローラー対の間に配置されるとともに、前記磁気情報を読み取る磁気ヘッドおよび前記磁気ヘッドと対向配置される回転可能な押圧ローラーを有する磁気情報読み取り手段と、を備え、前記第２ローラー対を前記記録媒体の主送り機構とし、前記第１ローラー対の記録媒体搬送量は、前記第２ローラー対の記録媒体搬送量より小さく設定されていることを特徴とする磁気情報読み取り装置。
【０００８】
この構成によれば、磁気情報読み取り装置は、磁気情報が記録された記録媒体の搬送において、搬送方向の上流に位置する第１ローラー対の記録媒体搬送量が、搬送方向の下流に位置する第２ローラー対の記録媒体搬送量より小さく設定されている。そのため、搬送される記録媒体は、記録媒体の搬送量の違いで第１ローラー対および第２ローラー対の区間では張力が作用して伸ばされ、記録媒体の折れ、皺が解消される。磁気ヘッドは、第１ローラー対および第２ローラー対の間に配置される。そのため、記録媒体の折れや皺が解消された状態で、磁気ヘッドを記録媒体に密着させることができる。その結果、磁気情報の読み取り率が低下するのを防ぐことができる。
【０００９】
（適用例２）前記磁気ヘッドと対向配置される前記押圧ローラーは、所定の記録媒体搬送量を確保するように駆動され、前記押圧ローラーの記録媒体搬送量が、前記第１ローラー対の記録媒体搬送量より大きく、且つ前記第２ローラー対の記録媒体搬送量より小さいことを特徴とする上記の磁気情報読み取り装置。
【００１０】
この構成によれば、記録媒体が第２ローラー対の位置に到達する前であっても、記録媒体は、磁気ヘッドの位置に到達した段階で、記録媒体搬送量の違いにより張力が作用して伸ばされる。そのため、記録媒体の折れや皺が解消され、記録媒体の端部に記録されている磁気情報も磁気ヘッドに密着させることができる。従って、磁気情報の読み取り率が低下するのを防ぐことができる。
【００１１】
（適用例３）前記磁気ヘッドが、付勢手段により前記押圧ローラー方向に加圧されていることを特徴とする上記の磁気情報読み取り装置。
【００１２】
この構成によれば、磁気ヘッドと押圧ローラーとの両側から記録媒体に加圧することができる。そのため、記録媒体の折れ、皺が完全に解消されなくても、記録媒体の磁気情報の記録部分と磁気ヘッドとの密着性を向上させることができる。その結果、磁気情報の読み取り率を向上させることができる。
【図面の簡単な説明】
【００１３】
【図１】第１実施形態に係る磁気情報読み取り装置の構成図。
【図２】磁気情報読み取り装置の制御部を示すブロック図。
【発明を実施するための形態】
【００１４】
（第１実施形態）
以下、第１実施形態について図面を参照して説明する。なお、以下の説明で参照する図面では、説明および図示の便宜上、部材ないし部分の縦横の縮尺を実際のものとは異なるように表す場合がある。
【００１５】
（磁気情報読み取り装置の全体構成について）
まず、第１実施形態に係る磁気情報読み取り装置の全体構成について、図１を参照して説明する。図１は第１実施形態に係る磁気情報読み取り装置の構成図である。
【００１６】
図１に示すように、磁気情報読み取り装置１０は、記録媒体が搬送される搬送経路１５に沿って、記録媒体搬送手段２０と、磁気情報読み取り手段３０とを備える。磁気情報読み取り装置１０は、例えば、スキャナープリンター等の複合機に設けられ、搬送経路１５を図１中矢印Ａ方向に搬送される小切手等の記録媒体Ｐに記録されたＭＩＣＲ文字等の磁気情報を読み取る機能を有する。
【００１７】
記録媒体搬送手段２０は、第１ローラー対１２と第２ローラー対１４とを有している。第１ローラー対１２は、第１駆動ローラー１２ａと、搬送経路１５を挟んで第１駆動ローラー１２ａに対して図示しない付勢手段で付勢される第１従動ローラー１２ｂと、で構成されている。第１ローラー対１２は、記録媒体Ｐの搬送方向Ａの上流側に設けられる。第２ローラー対１４も同様に第２駆動ローラー１４ａと第２駆動ローラー１４ａに対して図示しない付勢手段で付勢される第２従動ローラー１４ｂとで構成されている。第２ローラー対１４は、第１ローラー対１２と所定の間隔をおいて記録媒体Ｐの搬送方向Ａの下流側に設けられる。
【００１８】
第１ローラー対１２の第１駆動ローラー１２ａおよび第２ローラー対１４の第２駆動ローラー１４ａは、図示しない紙送りモーターより駆動力を得て回転駆動する。第１従動ローラー１２ｂおよび第２従動ローラー１４ｂは、第１駆動ローラー１２ａおよび第２駆動ローラー１４ａの回転に伴い従動回転する。記録媒体Ｐは、第１駆動ローラー１２ａと第１従動ローラー１２ｂおよび第２駆動ローラー１４ａと第２従動ローラー１４ｂに挟持される。記録媒体Ｐは、第１ローラー対１２および／または第２ローラー対１４が駆動されると搬送経路１５に沿って所定の速度で搬送される。
【００１９】
本実施形態では、第２ローラー対１４の記録媒体Ｐの単位時間あたりの搬送量は、第１ローラー対１２の記録媒体Ｐの単位時間あたりの搬送量より大きく設定されている。このとき、第１ローラー対１２の第１駆動ローラー１２ａの径が第２ローラー対１４の第２駆動ローラー１４ａの径より大きく形成されていてもよいし、第１ローラー対１２の第１駆動ローラー１２ａの回転数を第２ローラー対１４の第２駆動ローラー１４ａの回転数より多く設定してもよい。
【００２０】
このとき、第２ローラー対１４を記録媒体Ｐの主送り機構として設定している。また、第１ローラー対１２の第１駆動ローラー１２ａと第１従動ローラー１２ｂとの付勢力は、第２ローラー対１４の第２駆動ローラー１４ａと第２従動ローラー１４ｂとの付勢力より小さいことが好ましい。
【００２１】
磁気情報読み取り手段３０は、磁気ヘッド１６と押圧ローラー１９とを有している。
磁気ヘッド１６は、湾曲状に形成された読み取り部１６ａを有し、読み取り部１６ａが搬送経路１５方向を向くように配置される。押圧ローラー１９は、磁気ヘッド１６と搬送経路１５を挟んで回転可能な状態で対向配置される。このとき押圧ローラー１９は、押圧ローラー加圧バネ１７によって磁気ヘッド１６方向に加圧されている。なお、この磁気情報読み取り手段３０は、搬送経路１５に沿って、上述の記録媒体搬送手段２０の第１ローラー対１２と第２ローラー対１４との間に配置される。
【００２２】
（磁気情報読み取り装置の制御について）
ここで、磁気情報読み取り装置の制御系について、図２を参照して説明する。図２は、磁気情報読み取り装置の主要構成を示すブロック図である。
【００２３】
磁気情報読み取り装置１０の制御系は、図示しないＲＯＭ、ＲＡＭを備えＣＰＵを中心に構成された制御部２８を有している。制御部２８は、図示しないインターフェイスを介して上位のコンピューター（以降、ＰＣ２１という）と接続されている。ＰＣ２１は、表示器２１ａ、キーボードやマウスなどの操作部２１ｂなどの入出力機器を備えており、当該ＰＣ２１側より磁気情報読み取り動作の開始指令などを制御部２８に入力する。
【００２４】
制御部２８は、モータードライバー２２や磁気ヘッドドライバー２３に接続されている。モータードライバー２２は、記録媒体搬送手段２０の紙送りモーターの動作を制御する。磁気ヘッドドライバー２３は、磁気ヘッド１６と増幅回路２５から構成される読取制御部２４に接続され、磁気ヘッド１６の動作を制御する。
【００２５】
（磁気情報読み取り装置の動作について）
次いで、本実施形態に係る磁気情報読み取り装置の動作について図１および図２を参照して説明する。
図２に示すＰＣ２１から磁気情報読み取り動作の開始指令が制御部２８に入力されると、制御部２８は、その指令をモータードライバー２２や磁気ヘッドドライバー２３に伝達する。モータードライバー２２は、図１に示す記録媒体搬送手段２０の紙送りモーターの動作を制御して、記録媒体Ｐを搬送経路１５に沿って搬送する。記録媒体Ｐは、ＭＩＣＲ文字が所定の位置に記載されている。記録媒体Ｐは、ＭＩＣＲ文字の記載された面が磁気ヘッド１６の読み取り部１６ａと接触する方向で搬送される。
【００２６】
このとき、記録媒体搬送手段２０の第２ローラー対１４の記録媒体Ｐの単位時間あたりの搬送量は、第１ローラー対１２の記録媒体Ｐの単位時間あたりの搬送量より大きく設定されている。すなわち、磁気情報読み取り手段３０を挟んで、搬送経路１５の下流側の単位時間あたりの記録媒体Ｐの搬送量は上流側の単位時間あたりの搬送量より大きい。そのため、記録媒体Ｐには搬送方向Ａの張力が作用して、皺や折れが発生していたとしても搬送に伴い皺や折れが伸ばされる。
【００２７】
次いで、図２に示す磁気ヘッドドライバー２３を用い磁気ヘッド１６を制御して、記録媒体Ｐに記録された磁気情報の読み取り動作を実行する。磁気ヘッド１６は、着磁されたＭＩＣＲ文字が磁気ヘッド１６の読み取り部１６ａと押圧ローラー１９との間を通過すると、電磁誘導によって起電力が発生し、この起電力を増幅回路２５で増幅して信号として出力する。この信号は、制御部２８に接続された上位のＰＣ２１において認識される。
【００２８】
以下、本実施形態の効果を記載する。
（１）上述の磁気情報読み取り装置１０は、記録媒体搬送手段２０の第２ローラー対１４の記録媒体Ｐの単位時間あたりの搬送量が第１ローラー対１２の搬送量より大きい。そのため、記録媒体Ｐには搬送方向Ａの引張力が作用して、皺や折れが発生していたとしても搬送に伴い皺や折れが伸ばされる。また、磁気ヘッド１６と対向配置される回転可能な押圧ローラー１９による摩擦力の作用により、記録媒体Ｐに皺や折れがあったとしてもそれらが伸ばされる。その結果、記録媒体Ｐと磁気ヘッド１６の読み取り部１６ａとが密着しやすくなり、磁気ヘッド１６の磁気情報の読み取り率が低下するのを防ぐことができる。
【００２９】
（２）また、上述の磁気情報読み取り装置１０は、第２ローラー対１４を記録媒体Ｐの主送り機構として設定し、第１ローラー対１２の第１駆動ローラー１２ａと第１従動ローラー１２ｂとの付勢力は、第２ローラー対１４の第２駆動ローラー１４ａと第２従動ローラー１４ｂとの付勢力より小さい。そのため、皺や折れが解消された記録媒体Ｐは、第１ローラー対１２の第１駆動ローラー１２ａと第１従動ローラー１２ｂとの間で滑りが発生し、主送り機構である第２ローラー対１４の紙送り精度を保つことができる。
【００３０】
（第２実施形態）
ここで、第２実施形態について説明する。なお、第１実施形態と同様な構成および内容については、符号を等しくして説明を省略する。
【００３１】
第２実施形態に係る磁気情報読み取り手段３０は、第１実施形態と同様な磁気ヘッド１６と対向配置される押圧ローラー１９Ａとで構成されている。第２実施形態に係る押圧ローラー１９Ａは、図示しないモーター等の駆動源から駆動力を得て回転駆動することができる。すなわち、磁気ヘッド１６と対向配置される押圧ローラー１９Ａとによって記録媒体Ｐを搬送することが可能となる。
【００３２】
磁気ヘッド１６と押圧ローラー１９Ａとの記録媒体Ｐの搬送量は、第１ローラー対１２の記録媒体Ｐの搬送量より大きく、且つ第２ローラー対１４の記録媒体Ｐの搬送量より小さく設定されている。
【００３３】
以下、第２実施形態の効果を記載する。
（１）この構成によれば、記録媒体Ｐが第２ローラー対１４の位置に到達する前であっても、記録媒体Ｐは、磁気ヘッド１６と押圧ローラー１９Ａとの位置に到達した段階で、第１ローラー対１２との搬送量の違いにより引張力が作用して伸ばされる。そのため、記録媒体Ｐの折れや皺が解消され、記録媒体Ｐの端部近くに記録されている磁気情報としてのＭＩＣＲ文字も磁気ヘッド１６に密着させることができる。従って、磁気情報の読み取り率が低下するのを防ぐことができる。
【００３４】
（第３実施形態）
ここで、第３実施形態について説明する。なお、第１実施形態および第２実施形態と同様な構成および内容については、符号を等しくして説明を省略する。
【００３５】
第３実施形態は、第１実施形態および第２実施形態と比較して、磁気ヘッド１６がヘッド加圧バネによって対向配置される押圧ローラー１９方向に加圧されている。その他構成は第１実施形態と同様である。
【００３６】
以下、第３実施形態の効果を記載する。
（１）記録媒体Ｐは、押圧ローラー加圧バネ１７とヘッド加圧バネによって、磁気ヘッド１６と押圧ローラー１９の両側から加圧される。そのため、記録媒体Ｐの折れや皺が解消されやすくなる。その結果、記録媒体Ｐを磁気ヘッド１６に密着させることができるので、磁気情報の読み取り率が低下するのを防ぐことができる。
【符号の説明】
【００３７】
１０…磁気情報読み取り装置、１２…第１ローラー対、１２ａ…第１駆動ローラー、１２ｂ…第１従動ローラー、１４…第２ローラー対、１４ａ…第２駆動ローラー、１４ｂ…第２従動ローラー、１５…搬送経路、１６…磁気ヘッド、１７…押圧ローラー加圧バネ、１９…押圧ローラー、２０…記録媒体搬送手段、２１…ＰＣ、２１ａ…表示器、２１ｂ…入出力機器、２２…モータードライバー、２３…磁気ヘッドドライバー、２４…読取制御部、２５…増幅回路、２８…制御部、３０…磁気情報読み取り手段。
【図１】
2013196430.tif 000003
【図２】
2013196430.tif 000004